(57)【要約】      （修正有）【課題】簡単な構成で、ライブ感に溢れたパフォーマンスを実現ならしめ、同席者を含むユーザに新たなエンターテインメントを提供する。【解決手段】ライブカラオケシステムは、演奏者グループによる楽曲演奏の映像から所望の演奏者の映像を消去して、代わりに背景を映し出した映像を大型ディスプレイ１に等身大で再生するとともに、前記演奏者の音声を消去してスピーカ２から再生する。【選択図】図６
2017026733.tif 000002
【特許請求の範囲】
【請求項１】
複数の演奏者による楽曲演奏の映像及び音声を記録したデータである第１データが格納されている第１データ格納部と、
前記演奏者のうちの少なくとも１人の選択を受け付ける選択受付部と、
前記第１データに記録されている映像及び音声から、前記選択受付部が受け付けた演奏者の映像及び音声を消去し、消去した演奏者の映像の代わりに背景が表示されるようにした第２データを生成する第２データ生成部と、
前記第２データのうちの音声データが示す音声を再生するスピーカと、
前記第２データのうちの映像データが示す映像を略等身大で再生するディスプレイとを具備することを特徴とするライブカラオケシステム。
【請求項２】
前記第１データのうちの映像データは、分離可能に構成した背景データと演奏者映像データとからなり、
前記データ生成部は、前記背景データを消去することなく、選択された演奏者の映像データを前記演奏者映像データから消去するものである請求項１記載のライブカラオケシステム。
【請求項３】
前記演奏者映像データが、分離可能に構成した各演奏者の個別映像データからなるものである請求項２記載のライブカラオケシステム。
【請求項４】
演奏者グループによる楽曲演奏の映像データ及び音声を記録したデータである第１データが格納されている第１データ格納部と、
前記演奏者グループのうちの１人を選択する選択受付部と、
前記第１データが示す映像データ及び音声から、前記選択手段によって選択された演奏者の映像データ及び音声を消去するとともに、映像データについては、消去した演奏者の代わりに背景が表示されるようにした第２データを生成する第２データ生成部と、
前記第２データのうちの音声データをスピーカに送信して再生させるとともに、前記第２データのうちの映像データデータをディスプレイに送信して略等身大で再生させるデータ送信部とを具備することを特徴とするライブカラオケシステム。
【発明の詳細な説明】
【技術分野】
【０００１】
本発明は、ライブ感をもって楽しめるカラオケシステムに関するものである。
【背景技術】
【０００２】
カラオケとは、一般的には、音声を除いた録音伴奏が流れるなかで、ユーザがマイクを持って曲を歌えるようにしたものとして知られている。広義には、１つのパートを除いた他のパートをスピーカーから再生するシステムのことをカラオケと指すようである。例えばリードギターを除いた楽曲を再生するシステムも、カラオケと呼ぶ場合がある。このような広義のカラオケは、従来、楽器練習用として用いられている。
近時では、このカラオケがさらに進化して、特許文献１に示すように、自身の演奏をカメラで撮像し、区画された画面上に表示できるようにしたものもある。
【先行技術文献】
【特許文献】
【０００３】
【特許文献１】特開2014-167574号公報
【発明の概要】
【発明が解決しようとする課題】
【０００４】
しかしながら、こういった従来のカラオケに足りないものは、バンドメンバーとともに演奏するときのような臨場感やライブ感である。
【０００５】
例えば、一般的なカラオケは、録音伴奏が流れる中で歌うだけであって、もちろん、小さなディスプレイに歌詞やイメージ映像が映し出される場合もあるが、実際の演奏の中で歌うといった臨場感やライブ感を望むべくもない。
【０００６】
特許文献１に示されるものも、小さなディスプレイ上の区画された一領域に自身の映像の一部が再生されるだけであって、臨場感やライブ感をユーザや同席者に実感させるものではない。
【０００７】
本発明はかかる課題を解決すべくなされたものであって、カラオケシステムにおいて、簡単な構成で、ライブ感に溢れたパフォーマンスを実現ならしめ、同席者を含むユーザに新たなエンターテインメントを提供すべく図ったものである。
【課題を解決するための手段】
【０００８】
すなわち本発明に係るライブカラオケシステムは、
ａ）複数の演奏者による楽曲演奏の映像及び音声を記録したデータである第１データが格納されている第１データ格納部と、
ｂ）前記演奏者のうちの少なくとも１人の選択を受け付ける選択受付部と、
ｃ）前記第１データに記録されている映像及び音声から、前記選択受付部が受け付けた演奏者の映像及び音声を消去し、消去した演奏者の映像の代わりに背景が表示されるようにした第２データを生成するデータ生成部と、
ｄ）前記第２データのうちの音声データが示す音声を再生するスピーカと、前記第２データのうちの映像データが示す映像を略等身大で再生するディスプレイと
を具備することを特徴とする。
【０００９】
なお、「演奏者の選択」には、演奏者を個人名で直接選択することの他、演奏者のパート名や楽器等で選択することも含まれる。
また、「消去した演奏者の映像の代わりに表示される背景」とは、他の領域の背景と、不自然でない程度の連続性をもった背景のことである。具体的にいえば、例えば全体の背景が黒であれば、「消去した演奏者の映像の代わりに表示される背景」は黒となるし、全体の背景がライブ会場であれば、「消去した演奏者の映像の代わりに表示される背景」もライブ会場となる。演奏者を消してその代わりに上述した背景を表示すること自体は、近年の画像合成技術を用いれば実現可能である。
【発明の効果】
【００１０】
このように構成した本発明によれば、ディスプレイに等身大で映し出された演奏者グループの演奏映像から、選択された演奏者が消えて代わりに背景となった状態での演奏者グループの演奏シーンが等身大でディスプレイ上に表示される。消えた演奏者の代わりにディスプレイの前に立ち、演奏することによって、グループの一員としてあたかもライブさながらに演奏している感覚を得ることができる。この感覚は、これをそばで視ている視聴者にとっても同じであり、ライブさながらの臨場感を楽しむことができるようになる。
【００１１】
また、例えば、有名演奏者とセッションしたかのような写真や動画を撮ることもできるし、ディスプレイ前での演奏や動きに工夫を加えて、楽曲本来のものとは異なったイメージを作り出すといったクリエイティブな楽しみ方もできるようになる。
【００１２】
かかる効果は、曲を歌うことだけに制限された従来のカラオケでは全く得られないものである。
しかも、本発明に係るカラオケシステムに必要なのは、演奏者を消すといった映像データ編集機能や音声編集機能だけである。このような機能は、現在の一般的なコンピュータであれば十分実現できるし、等身大表示が可能な大型ディスプレイも実存するので、安価で簡単に実現できる。
【図面の簡単な説明】
【００１３】
【図１】本発明の一実施形態に係るカラオケライブシステムの機器構成を示す模式図。
【図２】同実施形態における情報処理装置の機能ブロック図。
【図３】同実施形態における第１データのデータ構造図。
【図４】同実施形態における操作装置の画面構成を示す画面図。
【図５】同実施形態において、演奏者を選択せずに、原曲をそのままディスプレイに映し出した状態を示す使用状態図。
【図６】同実施形態におけるカラオケライブシステムを用いてユーザが演奏している一例を示す使用状態図。
【図７】同実施形態におけるカラオケライブシステムを用いてユーザが演奏している一例を示す使用状態図。
【発明を実施するための形態】
【００１４】
以下に、本発明に係るライブカラオケシステムの一実施形態を図面を参照して説明する。
【００１５】
このライブカラオケシステム１００は、図１に示すように、ディスプレイ１、スピーカ２、操作装置３、情報処理装置４などを具備するものであり、例えばカラオケボックスに設置される。
【００１６】
ディスプレイ１は、画面自身が発光する、例えば液晶型やＬＥＤ型のものである。プロジェクターなどの投影型のものは本発明には適さない。このディスプレイ１は、高さ方向には、少なくとも男性の（平均）身長以上の寸法を有し、幅方向には、楽器を演奏する３〜４名が同時に入り得る寸法を有する大型のものである。このディスプレイ１は、室内の床面または室内に設けたステージ上に置かれて、その画面が床面又はステージ面に近接するように構成してある。なお、ディスプレイ１の画面はフラットのみならず、中央が凹んだ湾曲型のものでもよい。
スピーカ２は、既存のものでよいが、臨場感を出すためには、５．１ｃｈ以上のものが好ましい。
【００１７】
操作装置３は、図１、図４に示すように、ユーザが曲を選ぶべく、手元で操作するための携帯可能なものである。この操作装置３には、従来のカラオケシステム同様、例えば曲目選択画面（図４（ａ）参照）が設けてあり、ユーザは、その曲目選択画面において、演奏したい曲目を選べるようにしてある。曲目は曲名による直接的な検索の他、演奏者や作曲家、作詞家、年代、ジャンル、人気などからも検索できるようにしてある。さらにこの実施形態では、図４（ｂ）に示すように、選択した曲目のうちから、演奏したいパートをも選択できるように構成してある。そして、この操作装置３は、ユーザが選択した曲目及びパートを示す選択データを情報処理装置４に送信する機能を具備している。
【００１８】
情報処理装置４は、ハードウェア的にいえば、図１に示すように、ＣＰＵ、メモリ、音声制御回路、映像制御回路、通信制御回路などを具備したものである。一方、この情報処理装置４は、メモリに記憶された所定のプログラムにしたがってＣＰＵやその他の周辺機器が協働することにより、ソフトウェア的にいえば、図２に示すように、第１データ格納部４１、選択受付部４２、第２データ生成部４３、データ送信部４４等としての機能を担うものである。
【００１９】
第１データ格納部４１は、メモリの所定領域に設定されたものである。この第１データ格納部４１には、例えば、ジャズバンドなどの演奏者グループがライブ演奏したときのオリジナル映像及びオリジナル音声を記録したデータである第１データが格納されている。
【００２０】
この第１データは、図３に示すように、予め施された編集・追加操作によって階層構造化してある。すなわち、この第１データは、インデックスデータ、音声データ及び映像データから少なくとも構成してある。このように第１データを構成しているのは、後述する第２データの生成を容易にするためである。
【００２１】
インデックスデータは、楽曲の書誌事項を示すものであり、ここでは、曲名を示す曲名データ、演奏者名（演奏グループ名）を示す演奏者名データ、曲に含まれるパートを示すパートデータなどから構成されている。
【００２２】
音声データは、各演奏者又は各パートの音声をそれぞれ示す個別音声データからなる。個別音声データはそれぞれ独立して抽出したり削除することが可能なように、いわゆるトラック別に構成されている。
【００２３】
映像データは、演奏者の背景を写した背景データと、演奏者グループの演奏映像を示す演奏映像データとからなる、この背景データと演奏映像データとは、それぞれ独立して抽出したり削除することが可能なように構成されている。さらにこの演奏映像データは、各演奏者の演奏を示す個別映像データからなる。この個別映像データも、それぞれ独立して抽出したり削除することが可能なように、トラック別に構成されている。
前記選択受付部４２は、前記操作装置３から送信されてきた選択データを受け付けるものである。
【００２４】
第２データ生成部４３は、前記選択データの示す曲を前記第１データ記憶部から抽出し、そこから演奏者の映像と音声を消した第２データを生成するものである。
前記データ送信部４４は、前記第２データ生成部４３が生成した第２データを、前記ディスプレイ１及びスピーカ２に送信して再生させるものである。
次に、このように構成されたライブカラオケシステム１００の動作及び使い方の一例を説明する。
【００２５】
ユーザは、まず、前記操作装置３の検索画面を用いて曲目を選択する。曲目の検索にあたっては、前記操作装置３は情報処理装置４の第１データ格納部４１にアクセスし、そのインデックスデータを取得して検索画面を表示する。この例でのユーザは、図４（ａ）に示すように、ジャンルと人気順検索によって候補曲を絞り込み、その中から"C Jam Blues"を選択したとする。
次に、前記操作装置３は、図４（ｂ）に示すように、その画面をパートを選ぶための画面に遷移させる。
【００２６】
この画面において前記操作装置３は、ユーザが選択した曲を示す第１データのパートデータを参照して、パート名（ここでは楽器名）を選択可能に表示する。そして、ユーザが演奏したいパート（ここでは例えばベース）を選択して、送信ボタンを押すと、選択された曲のインデックスデータとユーザが選択したパートを示す選択パートデータとからなる前記選択データが、この操作装置３から情報処理装置４に無線（または有線）で送信される。
これを、情報処理装置４の選択受付部４２が受け付ける。
【００２７】
次に、情報処理装置４の第２データ生成部４３が、送信されてきたインデックスデータから第１データを特定し、当該第１データを前記第１データ格納部４１から取得する。
【００２８】
次に、第２データ生成部４３は、送信されてきた選択パートデータの示すパートの個別映像データと個別音声データを、取得した第１データから消して、第２データを生成する。
【００２９】
次に、データ送信部４４が、この第２データに含まれる演奏映像データを前記ディスプレイ１に送信して略等身大の映像として再生させるとともに、その音声データをスピーカ２に送信して音声を映像と同期再生させる。
【００３０】
その結果、ディスプレイ１では、ユーザの選択した演奏者のみが消えてその代わりに、他の領域の背景と連続する背景が写った映像が表示されるとともに、スピーカ２からは、ユーザの選択した演奏者のパート音声のみが消去された音声が再生されることとなる。
【００３１】
しかして、ユーザがこのディスプレイ１の前に立ち、消去された演奏者の代わりに演奏すれば、図６に示すように、グループの一員としてあたかもライブさながらに演奏しているかのように見える。したがって、同席した他のユーザとともに、ライブさながらの臨場感を楽しむことができるようになる。図６はユーザがベースを選んで演奏している状態を示し、図７は、同曲でユーザがサックスを選んで演奏している状態を示す。
【００３２】
ちなみに、原曲、すなわち第１データをそのままディスプレイ１に表示すれば、図５のようになる。これに対し、図６では、図５のベーシストが消去され、その代わりに、該ベーシストで隠されていた背景（例えば、ピアノの背面）が映し出されているのがわかる。また、図７ではサックソフォニストの代わりに、該サクソフォニストで隠されていた背景（例えばドラムの一部）が映し出されているのがわかる。
【００３３】
さらに、この演奏光景を、例えば写真やビデオで撮影すれば、有名演奏者とセッションしたかのような写真や動画を作ることができるし、ディスプレイ１前での演奏や動きに工夫を加えて、楽曲本来のものとは異なったイメージを作り出すといったクリエイティブな楽しみ方もできるようになる。
かかる効果は、曲を歌うことだけに制限された従来のカラオケでは全く得られないものである。
【００３４】
しかも、本実施形態のライブカラオケシステム１００に必要なのは、演奏者を消すといった映像データ編集機能や音声データ編集機能だけである。このような機能は、現在の一般的なコンピュータであれば十分実現できるし、等身大表示が可能な大型ディスプレイ１もリーゾナブルな価格で存在する。したがって、その実現に莫大な投資や特殊な技術は不要である。
【００３５】
なお、本発明は前記実施形態に限られない。
例えば、前記実施形態では、ユーザが選択できるパートはピアノ、ベース、サックス、ドラムの４種類であったが、ボーカルやギターなど、曲に応じて種々のパートの増減があるのはもちろんである。パートとしては、楽器で指定するのが一般的ではあるが、例えば、コーラスなどであれば、ソプラノやテナーなど声楽パートで選択できるようにすればよい。
また、前記実施形態では、消去したい演奏者をパート（あるいは楽器名）で選択していたが、演奏者名で選択できるようにしてもよい。
【００３６】
さらに、例えば複数のパート又は演奏者を選択できるようにしてもよい。このようにすれば、例えば、２人のユーザが、バンドメンバーの２人に代わって演奏できることとなる。
【００３７】
また、図５に示すように、消去したい演奏者を選択せず、すなわち第１データをそのままディスプレイ１及びスピーカ２で再生してもよいし、選択した演奏者の映像はそのままで、音声だけを消去したり、その逆で、演奏者の映像は消して、音声はそのまま再生できるようにしてもよい。
このようにすれば、楽しみ方がさらに増えることになる。
その他、本発明は前記実施形態に限られず、その趣旨を逸脱しない範囲で種々の変形が可能であるのは言うまでもない。
【符号の説明】
【００３８】
１００・・・ライブカラオケシステム
１・・・ディスプレイ
２・・・スピーカ
３・・・操作装置
４・・・情報処理装置
４１・・・第１データ格納部
４２・・・選択受付部
４３・・・第２データ生成部
【図１】
2017026733.tif 000003
【図２】
2017026733.tif 000004
【図３】
2017026733.tif 000005
【図４】
2017026733.tif 000006
【図５】
2017026733.tif 000007
【図６】
2017026733.tif 000008
【図７】
2017026733.tif 000009